(57)【特許請求の範囲】
【請求項１】
カウンタトップに複数の調理ユニットを並べて配置する組合せ式調理ユニットに用いて、各調理ユニットが備える天板の外周に設けられる枠部材であって、
互いに隣り合う調理ユニット間に形成された前後に延びる隙間を隠蔽する隠蔽部材と、前記隠蔽部材の前部と後部との夫々に当接して該隠蔽部材の外れ方向への移動を規制する規制部材とを備え、
前記規制部材は、前記調理ユニットの前側縁に設けられて前記隠蔽部材の前部に当接する前部当接部材と、前記調理ユニットの後側縁に設けられて前記隠蔽部材の後部に当接する後部当接部材とで構成され、
前記前部当接部材は、前記天板の前側縁と前記隠蔽部材の前部とを共に上方から覆うことを特徴とする組合せ式調理ユニット用枠部材。
【請求項２】
前記隠蔽部材は、前記隙間を上方から覆う隙間被覆部と、該隙間被覆部の下面に連設されて前記隙間に挿入する隙間挿入部と、該隙間挿入部の前端に連設されて前記隙間被覆部の前方に延出する延出部とを備えて、前記隙間の長手方向に沿ってスライド自在に設けられ、
前記規制部材の前記前部当接部材は、前記延出部を介して前記隠蔽部材の外れ方向への移動を規制することを特徴とする請求項１記載の組合せ式調理ユニット用枠部材。
【請求項３】
前記規制部材は、前記隠蔽部材の前記延出部をその上方から覆うことにより当該延出部を隠蔽することを特徴とする請求項２記載の組合せ式調理ユニット用枠部材。
【請求項４】
前記規制部材の前記前部当接部材は、前記調理ユニットに着脱自在に嵌合され、
前記規制部材の前記後部当接部材は、前記隠蔽部材を前記隙間に沿ってスライドさせることにより該隠蔽部材の端部が挿入可能な開放部を備えることを特徴とする請求項１〜３の何れか１項記載の組合せ式調理ユニット用枠部材。
【発明の詳細な説明】
【技術分野】
【０００１】
本発明は、システムキッチン等のカウンタトップに設けた開口にコンロやグリル等の調理ユニットを複数並べて配置する組合せ式調理ユニットに用いる枠部材に関する。
【背景技術】
【０００２】
従来、システムキッチンにおいて、ユニットとして各々独立したコンロ（調理ユニット）をユーザの要望に応じて複数組み合わせて並設するようにしたものが知られている（特許文献１参照）。
【０００３】
この場合、カウンタトップに単一の大きい開口を形成しておき、この開口内に各コンロユニットを並べて落し込むことで、カウンタトップに複数の開口を形成する必要がなく、開口を形成する作業が１回で済むので作業効率がよい。
【０００４】
ところで、この種の組合せ式調理ユニットにおいては、互いに隣り合うコンロユニット間に隙間が生じると、見栄えが悪いだけでなく異物が挟まる等の不都合がある。そこで、コンロユニット間の隙間に装着して当該隙間を覆い隠す隠蔽部材を設けることも行われている。
【０００５】
この隠蔽部材は、隣接するコンロユニットの面取りした天板角部の間に形成される前後の凹部に対応する形状の一対のスペーサ部材を備えている。そして、各スペーサ部材を前後の凹部に嵌め込むことにより隠蔽部材の前後方向の移動が規制される。
【先行技術文献】
【特許文献】
【０００６】
【特許文献１】特開２０１０−１４４９６０号公報
【発明の概要】
【発明が解決しようとする課題】
【０００７】
しかし、上記従来の隠蔽部材の取付け構造によると、その前後方向の移動については規制されるものの、上方向への移動は殆ど規制されない。これにより、メンテナンス等の作業時に隠蔽部材を取り外す場合には有利となる反面、隠蔽部材が不用意に外れ易い。そして、隠蔽部材が不用意に外れると、コンロユニット間の隙間への異物の侵入（特に調理の煮こぼれ汁等の液状の異物の流入）を確実に防止することができないおそれがある。
【０００８】
上記の点に鑑み、本発明は、メンテナンス作業等に際しての隠蔽部材の取り外し作業を容易に行うことができるだけでなく、隠蔽部材の取り付け状態を強固に維持して調理ユニット間の隙間への異物の侵入を確実に防止することができる組合せ式調理ユニット用枠部材を提供することを目的とする。
【課題を解決するための手段】
【０００９】
かかる目的を達成するために、本発明は、カウンタトップに複数の調理ユニットを並べて配置する組合せ式調理ユニットに用いて、各調理ユニットが備える天板の外周に設けられる枠部材であって、互いに隣り合う調理ユニット間に形成された前後に延びる隙間を隠蔽する隠蔽部材と、前記隠蔽部材の前部と後部との夫々に当接して該隠蔽部材の外れ方向への移動を規制する規制部材とを備え、前記規制部材は、前記調理ユニットの前側縁に設けられて前記隠蔽部材の前部に当接する前部当接部材と、前記調理ユニットの後側縁に設けられて前記隠蔽部材の後部に当接する後部当接部材とで構成され、前記前部当接部材は、前記天板の前側縁と前記隠蔽部材の前部とを共に上方から覆うことを特徴とする。
【００１０】
本発明によれば、隠蔽部材の前部に規制部材の前部当接部材が当接し、隠蔽部材の後部に規制部材の後部当接部材が当接することで、隠蔽部材の外れが防止される。このように隠蔽部材が前後両側から規制されることにより、調理ユニット間の隙間に嵌合させるような手段を隠蔽部材に設けることなく前記隙間への取り付け状態が強固に維持され、調理ユニット間の隙間への異物の侵入を確実に防止することができる。
【００１１】
しかも、規制部材の前部当接部材と後部当接部材とによる規制を解除するだけで隠蔽部材を容易に取り外すことができるので、メンテナンス作業等に際しての隠蔽部材の取り外し作業を容易に行うことができる。
【００１２】
また、本発明において、前記隠蔽部材は、前記隙間を上方から覆う隙間被覆部と、該隙間被覆部の下面に連設されて前記隙間に挿入する隙間挿入部と、該隙間挿入部の前端に連設されて前記隙間被覆部の前方に延出する延出部とを備えて、前記隙間の長手方向に沿ってスライド自在に設けられ、前記規制部材の前記前部当接部材は、前記延出部を介して前記隠蔽部材の外れ方向への移動を規制することを特徴とする。
【００１３】
本発明によれば、隠蔽部材が備える延出部に前部当接部材が当接することにより隠蔽部材の動きを規制することができるので、構造を簡単として、隠蔽部材の取り付け状態を強固に維持することができる。
【００１４】
また、本発明において、前記規制部材は、前記隠蔽部材の前記延出部をその上方から覆うことにより当該延出部を隠蔽することが好ましい。これによれば、隠蔽部材の延出部が規制部材の前部当接部材に覆い隠されるので、複数並べた状態の調理ユニットの外観を良好に保つことができる。
【００１５】
また、本発明において、前記規制部材の前記前部当接部材は、前記調理ユニットに着脱自在に嵌合され、前記規制部材の前記後部当接部材は、前記隠蔽部材を前記隙間に沿ってスライドさせることにより該隠蔽部材の端部が挿入可能な開放部を備えることを特徴とする。
【００１６】
例えば、前記前部当接部材が調理ユニットに着脱自在に嵌合され、前記後部当接部材が前記開放部を備えるとき、本発明によれば、隠蔽部材を次の手順で取り付けることができる。即ち、先ず、調理ユニット間の隙間上で隠蔽部材を後部当接部材に向かってスライドさせ、隠蔽部材の端部を前記開放部に挿入する。次いで、前部当接部材を調理ユニットに嵌合させる。このように、上記構成によれば、隠蔽部材の取付け作業が簡単となる。
【図面の簡単な説明】
【００１７】
【図１】本発明の一実施形態を示す斜視図。
【図２】コンロユニットの斜視図。
【図３】両コンロユニット間を縦断面視した説明図。
【図４】基枠を示す斜視図。
【図５】フィラーの取り付け状態を断面視して示す説明図。
【図６】隠蔽部材の取り付け状態を断面視して示す説明図。
【図７】隠蔽部材を示す説明的斜視図。
【図８】隠蔽部材の取付け手順を示す説明図。
【図９】フィラーと隠蔽部材の変形例を示す説明図。
【発明を実施するための形態】
【００１８】
本発明の一実施形態を図面に基づいて説明する。図１は、システムキッチンのカウンタトップＡに２台のコンロユニット（第１コンロユニット１、第２コンロユニット２）を並設した組合せ式調理ユニットを示している。本発明に係る実施形態の枠部材３は、並設された状態のコンロユニット１，２に設けられている。なお、各コンロユニット１，２は、本発明の調理ユニットに相当する。
【００１９】
先ず、コンロユニット１，２について説明する。第１コンロユニット１は１つのコンロバーナ４を備え、第２コンロユニット２は２つのコンロバーナ５，６を備えている。両コンロユニット１，２をカウンタトップＡに並設することにより３口コンロを構成することができる。
【００２０】
第１コンロユニット１は、図２に示すように、コンロ本体７と、コンロ本体７の上面を閉塞するガラス製の天板８とを備えている。コンロバーナ４の周囲の天板８上には五徳９が載置され、天板８の前端側には、タッチセンサによる操作部１０が設けられている。天板８の外周には、枠部材３が設けられている。
【００２１】
第２コンロユニット２は、２つのコンロバーナ５，６を備えていることと、それに対応する五徳９や操作部１０の数が第１コンロユニット１と異なるが、コンロ本体７、天板８、及び枠部材３は第１コンロユニット１と同じ形状であるため、同一符号を付して説明を省略する。
【００２２】
枠部材３は、図３に示すように、基枠１１と、フィラー１２と、吸気口部材１３と、吸気口カバー１４とを備えている。図３における符号１５，１６はパッキンを示している。
【００２３】
基枠１１は、図４に示すように、左右一対の側壁枠片１７，１８と、両側壁枠片１７，１８の前部に連結された前枠片１９とを備えている。
【００２４】
図１に示すように、フィラー１２は、並設された第１コンロユニット１の前部と第２コンロユニット２の前部とに沿って連続する長さに形成されている。フィラー１２は、図５に示すように、下方に突出する嵌合突起２０を備え、この嵌合突起２０を前枠片１９に設けられた嵌合凹部２１に嵌合することにより基枠１１に着脱自在に固定される。
【００２５】
なお、フィラーは、図示したもの以外に、コンロユニットの並設台数に対応して長さの異なるものが用意される。即ち、本実施形態のように２台のコンロユニット１，２を並設する場合には２台分の長さを有するフィラー１２を用いる。図示しないが、３台のコンロユニットを並設する場合には３台分の長さを有するフィラーが用いられ、１台のコンロユニットのみである場合には１台分の長さを有するフィラーが用いられる。これにより、コンロユニットを１台から何台並設しても、フィラーによって外観における一体感を得ることができる。
【００２６】
吸気口部材１３は、図４に示すように、両側壁枠片１７，１８の後部の間に連結されている。吸気口部材１３は、図示しないが、コンロ本体７の内部に燃焼用空気を導入するための吸気口を備えており、図３に示すように、この吸気口の上方に張り出すフード２２が設けられている。フード２２は、吸気口からコンロ本体７の内部への異物の侵入を防止する。
【００２７】
また、吸気口部材１３には、図６に示すように、その左右端部に、第１切欠き２３と第２切欠き２４とが形成されている。第１切欠き２３は、２台のコンロユニット１，２を並設したときに互に隣り合う者同士で開放部２５を形成する。
【００２８】
第１切欠き２３の上方に位置する第２切欠き２４は、図３に示すように、吸気口カバー１４の裏側面から突出する爪片２６を掛け止めして吸気口部材１３からの吸気口カバー１４の不用意な外れを防止する。
【００２９】
吸気口カバー１４は、吸気口部材１３の上方を覆う化粧部材として用いられ、図１に示すように、互いに隣接する者同士の端部を当接させて外観上一体感が得られるようにしている。
【００３０】
吸気口カバー１４には、図３及び図６に示すように、吸気口部材１３の第１切欠き２３に重なる第３切欠き２７が形成されている。
【００３１】
更に、図１に示すように、枠部材３は隠蔽部材２８を備えている。隠蔽部材２８は、第１コンロユニット１と第２コンロユニット２との間に取り付けられる。
【００３２】
隠蔽部材２８は、図７に示すように、隙間被覆部２９と、隙間挿入部３０とを備え、隙間挿入部３０の前後の両端には、隙間被覆部２９の前後の両端から延出する前部延出部３１と後部延出部３２とが形成されている。前部延出部３１は本発明の延出部に相当するものである。
【００３３】
図６に示すように、隙間被覆部２９は、第１コンロユニット１と第２コンロユニット２との間の隙間上を覆う。このとき、隙間挿入部３０は、第１コンロユニット１と第２コンロユニット２との間の隙間に挿入された状態となって、この隙間を埋める。
【００３４】
隙間被覆部２９と天板８との間にはパッキン３３が設けられている。これにより、第１コンロユニット１と第２コンロユニット２との間の隙間に煮こぼれ汁等の異物が侵入するのを防止している。
【００３５】
また、図３に示すように、隠蔽部材２８の前部延出部３１の上縁と隙間被覆部２９の前縁とがフィラー１２に当接することにより、隠蔽部材２８は、上方への動きと前方への動きが規制される。このように、フィラー１２は、本発明の前部当接部材として機能する。
【００３６】
更に、隠蔽部材２８の後側では、隙間被覆部２９の上面が後部延出部３２の第１切欠き２３による開放部２５に当接することで上方への動きが規制され、隙間被覆部２９の後側縁が吸気口部材１３の規制凸部１３ａに当接して後方への動きが規制される。このように、吸気口部材１３は、本発明の後部当接部材として機能する。そして、本実施形態においては、フィラー１２及び吸気口部材１３が本発明の規制部材に相当する。
【００３７】
次に、第１コンロユニット１と第２コンロユニット２との間の隙間への隠蔽部材２８の取付け手順を説明する。
【００３８】
先ず、フィラー１２を外した状態で、第１コンロユニット１と第２コンロユニット２とを並べて設置した後、図８Ａに示すように、第１コンロユニット１と第２コンロユニット２との間の隙間に隠蔽部材２８の隙間挿入部３０を挿入する。このとき、隠蔽部材２８の後部延出部３２が吸気口部材１３に干渉しないように、隠蔽部材２８を前方にずらした状態で隙間挿入部３０を隙間に挿し込む。
【００３９】
これにより、図８Ｂに示すように、隠蔽部材２８は、第１コンロユニット１と第２コンロユニット２との間の隙間に取り付けられるが、その後部が未だ吸気口部材１３の開放部２５の手前に位置している。
【００４０】
更に、この状態から、隠蔽部材２８を後方にスライドさせ、図８Ｃに示すように、隠蔽部材２８の後部を吸気口部材１３の開放部２５から吸気口部材１３の内部に差し込む。
【００４１】
隠蔽部材２８を吸気口部材１３の開放部２５から差し込んだことにより、図３に示すように、隙間被覆部２９の後部が吸気口部材１３の規制凸部１３ａに突き当り、これ以上後方への移動が規制される。そして、図１に示すように、フィラー１２を第１コンロユニット１及び第２コンロユニット２の前部に沿って取り付けると共に、吸気口部材１３の外面に吸気口カバー１４を取り付ける。
【００４２】
第１コンロユニット１と第２コンロユニット２との間から隠蔽部材２８を取り外すときには、先ずフィラー１２を外し、次いで隠蔽部材２８を前方にスライドさせ、隠蔽部材２８の後部が吸気口部材１３の開放部２５の前方に露出したところで隠蔽部材２８を上方に持ち上げればよい。
【００４３】
このように、本実施形態の隠蔽部材２８は、ねじ止め作業等を行うことなく取り付けることができ、またメンテナンス作業の際の取り外し作業も容易である。
【００４４】
そして、隠蔽部材２８は、第１コンロユニット１と第２コンロユニット２との間の隙間に取り付けた状態では、フィラー１２と吸気口部材１３とによって上方への移動と前後方向への移動とが規制されるので、不用意に外れることがない。
【００４５】
更に、隠蔽部材２８の隙間挿入部３０の前後側には、規制のための前部延出部３１と後部延出部３２とが設けられているが、これらはフィラー１２と吸気口部材１３とによって覆い隠されるので、外観の低下も防止される。
【００４６】
なお、本実施形態においては、前部延出部３１と後部延出部３２とを備える隠蔽部材２８を採用した。隠蔽部材２８は同一形状の前部延出部３１と後部延出部３２とを備えることで、前後方向の方向性を無くすことができ、取付間違い等を防止することができる。しかし、隠蔽部材２８の後部においては、開放部２５を構成する第１切欠き２３が隙間被覆部２９の上面に当接して上方への移動を規制し、吸気口部材１３の規制凸部１３ａが隙間被覆部２９の後側縁に当接して後方への移動を規制するようになっているので、後部延出部３２が設けられていなくてもよい。
【００４７】
また、本実施形態においては、フィラー１２が本発明の前部当接部材として機能する場合を例として挙げたが、これに限るものではなく、例えば、図示しないが、吸気口部材１３が不要である場合には、両側壁枠片１７，１８の後部の間に前枠片１９と同じ形状の後枠片を設けて、フィラーを取り付けることも可能である。
【００４８】
また、本実施形態においては、図３に示すように、前部延出部３１の上縁と隙間被覆部２９の前縁とがフィラー１２に当接することで、隠蔽部材２８の前側で、上方への動きと前方への動きが規制されるが、これ以外に図９に示す構成を採用することで、隠蔽部材２８の前後方向への動きをフィラー１２のみで規制することができて有利である。
【００４９】
即ち、図９に示すように、前部延出部３１に上向き凸部３１ａを形成し、フィラー１２に下向き凸部１２ａを形成して両者を互いに係止させることにより、隠蔽部材２８の前後方向の移動を規制してもよい。
【００５０】
また、本実施形態においては、調理ユニットとしてコンロバーナ４，５，６を備えるコンロユニット１，２を挙げたが、図示しないが、並設可能にユニット化されているものであれば、グリルや電磁調理器等であっても本発明を採用することができる。
【符号の説明】
【００５１】
Ａ…カウンタトップ、１…第１コンロユニット（調理ユニット）、２…第２コンロユニット（調理ユニット）、３…枠部材、１２…フィラー（規制部材、前部当接部材）、１３…吸気口部材（規制部材、後部当接部材）、２５…開放部、２８…隠蔽部材、２９…隙間被覆部、３０…隙間挿入部、３１…前部延出部（延出部）。
【図１】
0006674287.tif 000002
【図２】
0006674287.tif 000003
【図３】
0006674287.tif 000004
【図４】
0006674287.tif 000005
【図５】
0006674287.tif 000006
【図６】
0006674287.tif 000007
【図７】
0006674287.tif 000008
【図８】
0006674287.tif 000009
【図９】
0006674287.tif 000010